(57)【要約】【課題】万有引力は何でできるか。万有引力係数とは何か。中性子の中で電子はどのようになっているか。電子とはどういうものか。圧力と引力とエネルギーの関係はどのようになっているか。陽子、中間子、中性子、電子の軌道エネルギーと引力のマップ、原子の軌道を回転する電子の作るエネルギーと引力マップを作る。【解決手段】光子１個のエネルギーは６．６７×１０−３４Ｊで引力は２．４７×１０−６１Ｎである。このデーターによってマップができる。万有引力は陽子、中間子、中性子、原子の軌道を回転する電子の作る引力である。万有引力係数は１０００ｇ中の引力である。中性子の中の電子め状態を考察しエネルギーを算出することによって、電子は唯のエネルギーを持つ粒子では無く、軌道エネルギーを持つ光子の集まりである事を証明できた。【選択図】図５
2004032974.tif 000002
【特許請求の範囲】
【請求項１】
万有引力は陽子、中間子、中性子、電子の引力によって決定される。陽子の引力は５．５６×１０−３８Ｎであり、中間子の引力は８．３×１０−３９Ｎであり、中性子の引力は５．５６×１０−３８Ｎである。電子１個でできる引力は１０−１１ｍの軌道を回転すると４．８９×１０−３８Ｎである。陽子、中間子、中性子、電子でできる引力は合計で１６．８４×１０−３８Ｎである。この引力が万有引力の基である。
【請求項２】
万有引力係数とは１０００ｇ中の陽子、中間子、中性子、電子でできる引力である。１０００ｇの中には陽子、中間子、中性子、電子がそれぞれ３×１０２６個ある。それでできる引力は３×１０２６×１６．８４×１０−３８Ｎ＝５．０５２×１０−１１Ｎで約５×１０−１１Ｎである。万有引力係数は６．６７×１０−１１Ｎであるからほんの少しの誤差である。よって、万有引力係数は１０００ｇ中の陽子、中間子、中性子、電子の引力である。
【請求項３】
重力子はない。引力は陽子、中間子、中性子、電子の軌道を回転する光子が作っている。それで重力子は存在しない。
【請求項４】
陽子、中間子、中性子の軌道エネルギーには引力がある。光子１個で６．６７×１０−３４Ｊのエネルギーができ、２．４７×１０−６１Ｎの引力ができる。それで、軌道エネルギーに合った引力ができる。陽子、中間子、中性子、電子の軌道のエネルギーと引力のマップを図示する。
【請求項５】
中性子の中で電子はどのようになっているか。電子の光子は中性子の中で自分の軌道エネルギーを中性子の軌道エネルギーと重ね合わせた状態である。即ち、電子の光子達は自分のエネルギーに合った軌道を回転している。電子の光子は中性子の中で自分の軌道エネルギーを回転している。電子のラブのエネルギーは約８×１０−１４Ｊであるから、１０−２７ｍの軌道を回転している。その他の光子も電子の中で回転していた時と同じ軌道を回転している。
【請求項６】
どうして電子が陽子の中に入ると中性子のエネルギーは高くなるのか。電子のラブは中性子のラブの引力に引き寄せられて少し内側の軌道を回転する。それで、軌道エネルギーの高い軌道を回転することになり、エネルギーが高くなる。陽子のラブは１０−３１ｍの軌道を回転し、電子のラブは１０−２７ｍの軌道を回転しているので、電子のエネルギーは陽子のエネルギーの１００００分の１である。陽子のエネルギー＋電子のエネルギー＝９３８．５ＭｅＶであるはずなのに、中性子のエネルギーは９４０ＭｅＶであり、約１００００分の１５のエネルギーが増加しているのは、軌道のエネルギーの差である。即ち、１０−２７ｍの軌道を回転する電子のラブは、少し内側に引かれ、軌道を収縮させたからである。
【請求項７】
電子とは光子の回転体である事が
【請求項５】
から理解できる。即ち、中性子の中にある何が電子であるか、というと、それは自分のエネルギーに合った軌道を回転している光子である。もし、電子がただのエネルギーを持つ粒子であるなら、中性子のエネルギーはもっと高くなる。どれ位になるかというと電子のエネルギーは８×１０−１４Ｊですから、電子のラブは１０−２７ｍの軌道を回転します。そうすると、その回転でできるエネルギーは１．１×１０−１４Ｊ×１．２×１０２０＝１．３２×１０６Ｊとなり、莫大なエネルギーになります。それで、電子はただの粒子ではない。電子は光子の回転体である。電子は光子が自分のエネルギーの軌道を回転している光子の集まりである。１０−２７ｍの軌道を回転しているのが電子のラブである。１０−２７ｍの外側の軌道にも電子の光子は分散し回転している。電子は光子の回転体であるので、電子の光子は自分の持つエネルギーとおなじエネルギーの中性子の軌道を回転している。中性子の中で自分に合ったエネルギーの軌道を回転している
【請求項８】
圧力と引力は同じ現象であり、圧力は引力として表示できる。光子の回転エネルギーで圧力はできる。それで回転エネルギーは圧力の強さを示す。圧力はエネルギーとして表示できる。陽子の圧力と引力とエネルギーのマップを図示する。
【請求項９】
原子の軌道を回転する電子の作るエネルギーと引力のマップを図示する。
【発明の詳細な説明】
【０００１】
【発明の属する技術分野】
本発明は陽子、中間子、中性子、電子が作るエネルギーと引力に関する。そしてそれらが万有引力係数になることに関する。中性子の中で電子はどのようになっているのか。電子はどのようなものであるかに関する。
【０００２】
【従来の技術】
従来、引力は２物質間に働く力と考えられている。重力子は有るかもしれないと考えられている。でもまだ見つかっていない。電子はただの粒子であると考えられている。
【０００３】
【発明が解決しようとする課題】
本発明は次の課題を解決するものである。
１、　万有引力は何で決定されるか。
２、　万有引力係数とは何か。
３、　重力子はあるか。
４、　陽子、中間子、中性子、電子の軌道でできるエネルギーと引力のマップはどのようになっているか。
５、　中性子の中で電子はどのようになっているか。
６、　どうして中性子の中に電子が入るとエネルギーは高くなるのか。約１００００分の１５高くなるのか。
７、　電子は光子の回転体であることがどうして証明できるか。
８、　陽子、中性子、中間子の軌道の圧力と引力とエネルギーの関係はどのようになっているか。
９、　原子の軌道を電子が回転することによってできるエネルギーと引力のマップはどのようになっているか。
【０００４】
【課題を解決するための手段】
上記課題を解決するために、本発明者は光子１個でできるエネルギーは６．６７×１０−３４Ｊであり、引力は２．４７×１０−６１Ｎであることから計算した。
【０００５】
【発明の実施形態】
１、　万有引力は何で決定されるか。
万有引力は陽子、中間子、中性子、電子の引力によって決定される。
陽子は光子が２．２５×１０２３個であるから、それでできる引力は
２．２５×１０２３×２．４７×１０−６１Ｎ＝５．５５７５×１０−３８Ｎ
中間子は光子が３．３６×１０２２個であるから、それでできる引力は
３．３６×１０２２×２．４７×１０−６１Ｎ＝８．２９９２×１０−３９Ｎ
中性子は光子が２．２５１２×１０２３個であるから、それでできる引力は、
２．２５１２×１０２３×２．４７×１０−６１Ｎ＝５．５６０４６４×１０−３８Ｎ
（１０−１１ｍの軌道を回転している電子の場合）電子１個でできる引力は
１０−１１ｍの軌道のエネルギーは４．０７３×１０−５８Ｎである。
光子１個が１０−１１ｍの軌道を回転すると４．０７３×１０−５８Ｎの引力を生じる。
電子は光子が１．２×１０２０個であるから、それでできる引力は
１．２×１０２０×４．０７３×１０−５８Ｎ＝４．８８７６×１０−３８Ｎ
陽子、中間子、中性子、電子でできる引力は、合計すると
（５．５５７５＋０．８２９９２＋５．５６０４６＋４．８８７６）×１０−３８Ｎ＝１６．８３５４８×１０−３８Ｎ１６．８３５４８×１０−３８Ｎである。
この引力が万有引力の基である。
２、　万有引力係数とは何か。
万有引力係数とは１０００ｇの中の陽子、中間子、中性子、電子でできる引力である。物質１０００ｇが同じ元素単体でできている場合、その元素の原子番号をａとし、原子量をｂとすると、
１０００ｇ中の陽子、中間子、中性子、電子の数ｃは
ｃ＝（１０００÷ｂ）×６×１０２３×ａ＝６×１０２６×ａ／ｂ
ａとｂの関係は２×ａ＝ｂ
それで、ｃ＝６×１０２６×ａ÷２ａ＝３×１０２６　（個）
３×１０２６個である。
それで、陽子、中間子、中性子、電子でできる引力は
３×１０２６×１６．８３５４８×１０−３８Ｎ≒５×１０−１１Ｎ
約５×１０−１１Ｎである。
これが万有引力係数である。
実は、本発明者は万有引力係数を光子１個でできる引力は２．４７×１０−６１Ｎとして計算したので５×１０−１１Ｎになった。
もし、光子１個でできる引力を３．３×１０−６１Ｎであるとして計算すると、
５×１０−１１×３．３÷２．４７≒６．６８×１０−１１（Ｎ）約６．６８×１０−１１Ｎとなり、より６．６７×１０−１１Ｎに近い値になる。
もし、電子が回転する軌道が１０−１１ｍと１０−１２ｍの間の軌道であり、８×１０−５８Ｎの軌道であるとしますと、電子の光子は１．２×１０２０個であるから、それでできる引力は
１．２×１０２０×８×１０−５８Ｎ＝９．６×１０−３８Ｎ　　９．６×１０−３８Ｎである。
それで、陽子、中間子、中性子、電子各々１個でできる引力の合計は
（５．５５７５＋０．８２９９２＋５．５６０４６＋９．６）×１０−３８Ｎ＝２１．５４７８８×１０−３８Ｎ
１０００ｇの陽子、中間子、中性子、電子でできる引力は
３×１０２６×２１．５４７８８×１０−３８Ｎ＝６．４６×１０−１１Ｎ
６．４６×１０−１１Ｎとなり、６．６７×１０−１１Ｎに近い値になる。
このように、電子の回転する軌道によっても、できる引力はちがってきます。
ですから、本発明者が求めた光子１個によってできる引力は２．４７×１０−６１Ｎであるとする値は極めて正確であるという事になります。
３、　重力子は有るか。
重力子は無い。引力は光子の回転によってでき、その力は光子が回転する軌道によって決まる。上記のように、陽子、中間子、中性子、電子が引力を作っている。陽子、中間子、中性子、電子に引力がある。
４、　陽子、中間子、中性子、電子の軌道でできるエネルギーと引力のマップはどのようになっているか。
本発明者は２００２年８月３日に提出した「原子、陽子の軌道エネルギーとビッグバン」に、陽子及び原子の軌道のエネルギーについて書きましたので、それに引力を追加します。
そして、陽子と原子の軌道のエネルギーを１．１倍に訂正します。
引力の計算は、
光子１個でできるエネルギーは６．６７×１０−３４Ｊであり、引力は２．４７×１０−６１ＮであるからＡＪのエネルギーでＸＮの引力ができるとすると、
６．６７×１０−３４：２．４７×１０−６１＝Ａ：Ｘ
Ｘ＝２．４７×１０−６１×Ａ÷（６．６７×１０−３４）で計算します。
４−１　陽子の軌道のエネルギーと引力のマップ。
陽子のラブの軌道のエネルギーと引力は、ラブは光子が２．２５×１０２３個であるから、ラブのエネルギーは２．２５×１０２３×６．６７×１０−３４Ｊ＝１．５×１０−１０Ｊ
ラブの引力は　２．４７×１０−６１Ｎ×１．５×１０−１０÷（６．６７×１０−３４）≒５．５５×１０−３８Ｎ
１．５×１０−１０Ｊの軌道は１０−３１ｍの軌道です。
陽子のラブである１個の光子は１０−３１ｍの軌道を回転している。
１個の光子が１０−３１ｍの軌道を回転することによって可視光の光子２．２５×１０２３個と同じエネルギーを発生する。
ラブの周囲にはラブのエネルギーの１０−４倍のエネルギーがありますから、
１．５×１０−１０×１０−４Ｊ＝１．５×１０−１４Ｊ
１．５×１０−１４Ｊの軌道は１０−２７ｍの軌道です。
１０−２７ｍの軌道のエネルギーは１．１×１０−１４Ｊですから、引力は
２．４７×１０−６１Ｎ×１．１×１０−１４÷（６．６７×１０−３４）＝４．０７×１０−４２Ｎ
陽子の大きさは１０−１５ｍですから、軌道は１０−１５ｍまでとする。
１０−１５ｍの軌道のエネルギーは１．１×１０−２６Ｊですから、引力は
２．４７×１０−６１Ｎ×１．１×１０−２６÷（６．６７×１０−３４）＝４．０７×１０−５４Ｎ
４−２　中間子の軌道のエネルギーと引力のマップ。
中間子のラブの軌道のエネルギーと引力は、ラブは光子が３．３６×１０２２個であるから、
ラブのエネルギーは３．３６×１０２２×６．６７×１０−３４Ｊ＝２．２４１１２×１０−１１Ｊ
ラブの引力は３．３６×１０２２×２．４７×１０−６１Ｎ≒８．３×１０−３９Ｎ
２．２４×１０−１１Ｊは１０−３０ｍの軌道です。
中間子のラブである１個の光子は１０−３０ｍの軌道を回転することによって可視光の光子３．３６×１０２２個と同じエネルギーを発生する。
ラブの周囲のエネルギーはラブのエネルギーの１０−４倍ですから、
２．２４×１０−１１Ｊ×１０−４＝２．２４×１０−１５Ｊ
２．２４×１０−１５Ｊの軌道です。それは１０−２６ｍの軌道です。
１０−２６ｍの軌道のエネルギーは１．１×１０−１５Ｊですから、引力は
２．４７×１０−６１Ｎ×１．１×１０−１５÷（６．６７×１０−３４）≒４．０７×１０−４３Ｎ
ラブの周囲の光子の回転は１０−２６ｍの軌道から始まっています。
中間子の大きさは１０−１５ｍですので、軌道は１０−１５ｍまでです。
４−３　中性子の軌道のエネルギーと引力のマップ。
中性子の軌道のエネルギーと引力のマップは陽子のマップとほぼ同じである。
ここで問題提起される事は次の事です。
Ａ　中性子の中で電子はどのようになっているのか。
Ｂ　どうして陽子の中に電子が入るとエネルギーが高くなるのか。
Ｃ　電子が光子の回転体であることがどうして証明できるか。
Ａ、Ｂ、Ｃ、の問題を解決した結果中性子のマップは陽子と電子のマップの合成である。
４−４　電子の軌道エネルギーと引力のマップ。
電子のラブのエネルギーは光子が１．２×１０２０個であるから、電子のラブのエネルギーは
１．２×１０２０×６．６７×１０−３４Ｊ＝８×１０−１４Ｊ
ラブの引力は１．２×１０２０×２．４７×１０−６１Ｎ＝２．９６４×１０−４１Ｎ
８×１０−１４Ｊであるからラブの光子は１０−２７ｍの軌道で回転している。
１０−２７ｍの軌道の引力は４．０７×１０−４２Ｎです。
ラブの周囲の光子のエネルギーはラブのエネルギーの１０−４倍であり８×１０−１８Ｊであるから、その軌道は１０−２３ｍから始まって、電子の大きさまでである。
４−４　中性子の軌道エネルギーと引力のマップ。
５、　中性子の中で電子はどのようになっているのか。
電子の光子はおのおの自分のエネルギーを持っている。そして、エネルギーに合った軌道を回転している。中性子の中に入ってもそのエネルギーは変わらない。それで、電子の光子は相変わらず自分に合ったエネルギーの軌道を回転している。まるで〔図４〕のように陽子の中に電子の軌道ができたようである。中性子とは陽子の軌道と電子の軌道が合体したようなものである。
６、　どうして陽子の中に電子が入るとエネルギーが高くなるのか。
陽子のエネルギーは９３８ＭｅＶであり、電子のエネルギーは０．５ＭｅＶである。合計で９３８．５ＭｅＶであるはずなのに、中性子のエネルギーは９４０ＭｅＶであり、エネルギーは１００００分の１５高くなっている。これは陽子のラブの軌道は１０−３１ｍで、電子のラブの軌道は１０−２７ｍであり、電子の軌道のエネルギーが陽子の軌道のエネルギーの１００００分の１であり、この軌道が少し内側に引き寄せられるからである。それで、１００００分の１５エネルギーは高くなる。陽子のラブの引力が電子のラブを引き寄せるためである。電子のラブは引き寄せられて、軌道が小さくなっている。それで、エネルギーが高くなった。
７、　電子が光子の回転体であることがどうして証明できるか。
電子のエネルギーは８×１０−１４Ｊであるから、中性子の中の１０−２７ｍの軌道を回転している。もし、電子がただのエネルギーの粒子であるなら、その軌道を回転することによって、１．１×１０−１４Ｊ×１．２×１０２０＝１．３２×１０６Ｊのエネルギーができ、４．０７×１０−４２Ｎ×１．２×１０２０＝４．８８４×１０−２２Ｎの引力ができる。しかし、このように莫大なエネルギーも引力もできない。このことにより、電子はエネルギーの塊では無いことを証明できる。
８、陽子、中間子、中性子の軌道の大きさと圧力と引力とエネルギーの関係はどのようになっているか。
ｐｖ＝ｎＲＴ　ｎＲＴ＝Ｋ＝一定とする。ｐ＝圧力　ｖ＝体積
ｐ＝Ｋ／ｖ
体積は光子の回転の大きさであり、光子の回転の大きさは軌道の大きさです。
圧力は体積に反比例します。圧力は軌道の大きさに反比例します。
これにより圧力マップができます。
図７は陽子の圧力マップです。
▲１▼圧力と引力は同じ現象です。圧力は引力として表示できます。
それは次のように証明できる。
ラブは１０−３１ｍで圧力は１０３１Ｋです。
１０３１Ｋ＝４．０７×１０−３８Ｎ　Ｋ＝４．０７×１０−６９Ｎです。
ｐｖ＝４．０７×１０−６９Ｎ　ｐ＝４．０７×１０−６９÷ｖ
例えば、１０−１５ｍの軌道の圧力ｐは
ｐ＝４．０７×１０−６９Ｎ÷１０−１５＝４．０７×１０−５４Ｎ
このように、圧力＝引力です。
故に、圧力は引力として表示できる。
▲２▼光子の回転エネルギーで圧力ができる。それで（回転）エネルギーは圧力示す。圧力はエネルギーとして表示できます。
それは次のように証明できます。
１０３１Ｋ＝１．１×１０−１０Ｊ　Ｋ＝１．１×１０−４１Ｊ
Ｋ＝１．１×１０−４１Ｊです。
ｐｖ＝１．１×１０−４１Ｊ　ｐ＝１．１×１０−４１Ｊ÷ｖ
例えば、１０−１５ｍの軌道の圧力ｐは
ｐ＝１．１×１０−４１Ｊ÷１０−１５＝１．１×１０−２６Ｊ
このように、圧力＝エネルギーです。
故に、圧力はエネルギーとして表示できる。
９、原子の軌道を電子が回転することによってできるエネルギーと引力のマップはどのようになっているか。
原子の大きさは１０−１０ｍである。
その軌道のエネルギーは１．１×１０−３１Ｊで、引力は４．０７×１０−５９Ｎである。
しかし、電子は光子が１．２×１０２０個でできているので、１０−１０ｍの軌道を回転する電子が作るエネルギーと引力は軌道のエネルギーの１．２×１０２０倍である。
よって、エネルギーは１．１×１０−３１Ｊ×１．２×１０２０＝１．３２×１０−１１Ｊ
よって、引力は４．０７×１０−５９Ｎ×１．２×１０２０＝４．８８４×１０−３９Ｎ　である。
【発明の効果】
今まで、本発明者は光子の回転によってエネルギーと引力ができると考えてきた。その考えは正しい。しかし、光子の回転する軌道によって、発生するエネルギーと引力は異なる。軌道こそがエネルギーと引力の発生量を決定する。軌道の小さい光子はエネルギーと引力の発生量が多い。軌道の大きい光子はエネルギーと引力の発生量が少ない。１個の光子は回転する軌道によってエネルギーと引力は一定である。回転軌道の大きさによってエネルギーと引力は一定である。
それで、ラブは１個の光子が中央の小さい軌道を回転しているものである。
軌道エネルギーを考える事によって光子はほんの少量で高エネルギーを作る事が理解できた。
本発明者が陽子のラブの光子の数は２．２５×１０２３個であると考えた光子は可視光のエネルギーで算出した光子量である。
万有引力係数とは陽子、中間子、中性子、電子、の引力である。
それで重粒子は存在しない。
軌道は一定の圧力、引力、エネルギーを持っている。
中性子の中に入った電子の光子達は自分のエネルギーに合った軌道で回転している。中性子の軌道は陽子の軌道と電子の軌道が合体したものである。
中性子のエネルギーが高いのは電子のラブの軌道が中性子のラブに引かれるため、軌道を小さくするからである。
電子は光子の回転体であり、ただの粒子ではないことは、中性子の軌道上にある電子がつくるエネルギーの計算によって理解できる。
軌道の圧力は引力であり、引力やエネルギーとして表示できる。
【図面の簡単な説明】
【図１】陽子の軌道エネルギーと引力のマップ。
【図２】中間子の軌道エネルギーと引力のマップ。
【図３】電子の軌道エネルギーと引力ノマップ。
【図４】中性子の軌道エネルギーと引力のマップ。
【図５】中性子の中で、もし、電子がエネルギーの塊である粒子であるならば、１０−２７ｍでできるエネルギーと引力は莫大になることを示す図。
【図６】中性子のラブの引力に電子のラブが引き寄せられ、約１０，０００分の１５エネルギーが高くなる事を示す図。
【図７】陽子の軌道の圧力と引力とエネルギーの関係を示すマップ。
【図８】原子の軌道とその軌道を電子が回転することによってできるエネルギーと引力。
【符号の説明】
１　陽子　　　２　中間子　　　３　電子　　　４　中性子
５　陽子のラブ　　　６　陽子のラブの周囲の光子の始まりの軌道
７　陽子の大きさ　　　８　中間子のラブ　　　９　中間子のラブの周囲の光子の始まりの軌道　　　１０　中間子の大きさ　　　１１　電子のラブ　　　１２電子のラブの周囲の光子の始まりの軌道　　　１３　電子の大きさ　　　１４中性子のラブ　　　１５　エネルギーの塊の粒子である電子　　　１６　収縮した電子のラブ　　　１７　電子の軌道
【図１】
2004032974.tif 000003
【図２】
2004032974.tif 000004
【図３】
2004032974.tif 000005
【図４】
2004032974.tif 000006
【図５】
2004032974.tif 000007
【図６】
2004032974.tif 000008
【図７】
2004032974.tif 000009
【図８】
2004032974.tif 000010